(57)【要約】      （修正有）【課題】人が足を踏みだして足先を支え、点として歩いているときの状態に近づいたエクササイズを可能とし、よりよい運動効果が達成され、足の筋肉が均等に使われ、運動からの傷害の発生が低減されるようにする。【解決手段】主機体１０は、前部にガイドスライドレール３０を有し、後部に円周作動部品４０を有する。踏み板２０の足先置き部２１は、ホイールスタンド２３によりガイドスライドレール３０の上に置かれる。踏み板の足元置き部２２は、円周作動部品とつながっている。これにより、踏み板が動作したとき、足先置き部は、ガイドスライドレールに沿って移動し、足先のところがユーザの足の支えとなり、足元置き部は、円周作動部品に支持されつつ円周ルートに沿って上下起伏する。足踏み運動は、よりリアルで足を踏み出して歩く状態に近づいたものとなる。【選択図】図１
0003136861.tif 000002
【実用新案登録請求の範囲】
【請求項１】
足踏みエクササイズ器具の前部と後部を分ける主機体と、前記主機体の両側に配置してある踏み板とガイドスライドレールと円周作動部品とを有し、前記踏み板は足先置き部と足元置き部を有する構成のエクササイズ器具であって、
前記ガイドスライドレール（３０）は、前記主機体（１０）の前部に設けられ、前記主機体の先に伸ばされる組み立て形式であり、
前記円周作動部品（４０）は、前記主機体（１０）の後部に設けてあり、
前記踏み板（２０）の前記足先置き部（２１）は、ホイールスタンド（２３）により前記ガイドスライドレール（３０）の上に置かれ、前記踏み板の足元置き部（２２）は、前記主機体の後部に設けられた前記円周作動部品（４０）とつながっている構成の足踏みエクササイズ装置。
【請求項２】
前記主機体は、その前部の基部に、両側に突き出た突出し脚部（１３）が設けてあり、
前記ガイドスライドレール（３０）が前記突出し脚部に結合して固定してある請求項１に記載の足踏みエクササイズ装置。
【請求項３】
前記ガイドスライドレール（３０）は、前記主機体の前部に対して組立式である請求項１に記載の足踏みエクササイズ装置。
【請求項４】
前記ガイドスライドレールを前記主機体の前部と結合して組み合わせた箇所に、調節ジョイント（５０）が設けてあり、
前記ガイドスライドレールは、前記調節ジョイント（５０）を回転支点として回動されて、前記主機体の後部に収まることを特徴とする請求項３に記載の足踏みエクササイズ装置。
【請求項５】
前記主機体の前部のうち前記ガイドスライドレールが組み合わされる箇所に、横向き通り溝（６１）のスライドガイド座（６０）が設けてあり、
前記スライドガイド座（６０）の横向き通り溝（６１）に組み立てられたガイドスライドレール（３０）は、横向きの前進後退がスライドできるようになり、
且つ、前記スライドガイド座の片側に位置固定部品（６２）が設けられて、スライドスライドレールは位置が固定される請求項３に記載の足踏みエクササイズ装置。
【請求項６】
前記主機体は、その前部に、表示パネル（７０）が設けてある請求項１に記載の足踏みエクササイズ装置。
【請求項７】
前記主機体は、その前部に、縦向き突き出しの手すりハンドル（８０）が設けてある請求項１に記載の足踏みエクササイズ装置。
【考案の詳細な説明】
【技術分野】
【０００１】
本考案は足踏みエクササイズ器具に係り、特に、楕円レールルート足踏み機のオリジナル構造の設計である楕円レールルート足踏みエクササイズ器具に関する。
【背景技術】
【０００２】
本考案の楕円レールルート足踏みエクササイズ器具（又は足踏み機）とは、ユーザが運動しているときの踏み板の移動の軌跡が楕円形になるものをいう。
【０００３】
従来の構造形態は、台湾特許公開番号５４３４６３号“直接駆動フロントフライウィールの小型足踏み機（二）”新型特許案、及び台湾特許公開番号５９００１８号“エア調節付きのエクササイズ器具”に記載してある。その構造は、いずれも装置の前部に円周作動部
（回転盤、クランク）が設けられることにより、踏み板の前部が前記円周作動部とつながるようにして、踏み板の後部は、スタンドにより機体の後部に支えられ、スライドレールに設けられた形態である。踏み板では、作動のとき、前部が円周ルート沿いに上下で動き、後部は横向きルート沿いに前後で動かされるといった動き状態になっている。
【特許文献１】台湾特許公開番号５４３４６３号公報
【特許文献２】台湾特許公開番号５９００１８号公報
【考案の開示】
【考案が解決しようとする課題】
【０００４】
従来の構造形態は、実際に使われた経験から、以下のような問題点を有する。
【０００５】
ユーザの立場で、従来の楕円レールルート足踏み機の踏み板の作動形態を更に見ていくと、従来の踏み板が作動のとき、その後部が横向きルート沿いに、位置が前後に移動され、高さの変化が少ないため、ユーザの足の支えは足元のところになっており、また、踏み板の前部は円周ルート沿いに、上下起伏するようになるため、ユーザの足が動くところは、足先のところになるが、しかし、このような運動状態は、人が足を踏みだして、足先を支え点として歩いているときと異なり自然で尚且つ運動効果がより大きいことが得られないし、踏み板の揺れに伴って、足裏の筋肉だけが動かされる（ふくらはぎの筋肉が動かされない）ので、足甲の筋肉に筋肉痛が起こり、筋の傷害が起こるおそれがあるという問題点がある。
【０００６】
本考案は、上記課題を解決した足踏みエクササイズ装置を提供することを目的とする。
【課題を解決するための手段】
【０００７】
本考案は、両側のガイドスライドレール（３０）は、主機体（１０）の前部に設けられ、主機体の先に伸ばされる組み立て形式であり、円周作動部品（４０）は、主機体（１０）の後部に設けられ、両側の踏み板（２０）の足先置き部（２１）は、ホイールスタンド（２３）によりガイドスライドレール（３０）上に置かれ、踏み板の足元置き部（２２）は、主機体の後部に設けられた円周作動部品（４０）とつながる構成である。
【考案の効果】
【０００８】
本考案は、踏み板が作動のとき、足先置き部は、ガイドスライドレール沿いに平行に移動し、足先のところがユーザの足の支えとなり、踏み板の足元置き部は、円周作動部品に伴い、円周ルート沿いに上下起伏する動きが行われており、このような構成により、ユーザの足の動きは足元のところにあり、よりリアルで足を踏み出して歩く状態に近づくようになり、よりよい運動効果が達成され、足の筋肉が均等に使われ、運動からの傷害の発生が低減される、という実用性を有するという効果を有する。
【考案を実施するための最良の形態】
【０００９】
以下、本考案の実施例になる足踏みエクササイズ装置について説明する。
【実施例１】
【００１０】
図１は本考案の実施例になる楕円レールルート足踏み機の斜視図、図２は側面図である。楕円レールルート足踏み機Ａは、主機体１０と、この両側の踏み板２０と、主機体１０の前部の両側に設けられ、主機体１０の先に伸ばされる組み立て形式になるガイドスライドレール３０と、主機体１０の後部に設けられた円周作動部品４０とを有する。
【００１１】
主機体１０は、楕円レールルート足踏み機を前部１１と後部１２をわける。
【００１２】
両側の踏み板２０は、足先置き部２１と足元置き部２２を有する。踏み板２０の足先置き部２１は、ホイールスタンド２３により、両側のガイドスライドレール３０の上に置かれ、前記両側踏み板２０の足元置き部２２は、主機体１０の後部１２に設けられた円周作動部品４０とつながっている。
【００１３】
円周作動部品４０は、クランク組み合わせ形態である。なお、円周作動部品４０は円盤組み合わせ形態にもできる。この場合には、円盤の中央を主機体１０の後部１２に設け、踏み板２０の足元置き部２２をつなぐための部品を円盤の偏心した箇所に設けるようにする。この図面部品は省略する。
【００１４】
足先置き部２１と足元置き部２２には、ユーザの足を置く時の踏み板止め縁部２１Ｂ、２２Ｂが設けてあり、ユーザは、使用中に、踏み板止め縁部２１Ｂ、２２Ｂにより安定し、バランスよく使えるようになる。また、踏み板２０の端面には、足裏マッサージ用の粒が均等に分布してあり、ユーザは使用中に、足ツボのマッサージ効果が得られる。
【００１５】
主機体１０の前部の基部の両側には、伸ばされる突出し脚部１３が設けてある。両側のガイドスライドレール３０が突出し脚部１３に結合して固定してある。主機体１０の前部１１には、表示パネル７０が設けてある。この表示パネル７０は、設定ユニット及びユーザの歩数、キロ数を表示等する機能を有する。
【００１６】
両側のガイドスライドレール３０と主機体１０の間は、組み合わせ形態となるものである。
【００１７】
上述の構造組合設計により、本考案になる楕円レールルート足踏み機Ａが構成される。
【００１８】
次に、楕円レールルート足踏み機Ａの使用時の動作について説明する。
【００１９】
図３、図４に示すように、ユーザが両足を主機体１０の左右にある踏み板２０に置く。ユーザは両足の足先と足元をそれに対応して設けられた足先置き部２１と足元置き部２２のところに置いて、足で踏み出す。これによって、重心が足先置き部２１にかかり、それにより、足先置き部２１とつながるホイールスタンド２３がガイドスライドレール３０を、前後の往復スライド移動することを行うようになり、それに伴い、主機体１０の後部１２に設けられた円周作動部品４０が作動される。また、円周作動部品４０はこれとつながる足元置き部２２に円周運動を行わせる。よって、ホイールスタンド２３がガイドスライドレール３０に沿って移動することによって、足元置き部２２にある足元は、円周作動部品０の作動に伴って上げられるようになり、ふくらはぎの筋肉も動かされて、人が自然に歩いているときの足運動をシミュレーションすることができる。
【００２０】
図５（Ａ）は、本考案の第２の実施例を示す。両側のガイドスライドレール３０と主機体１０の前部１１との組み合わせた箇所に、調節ジョイント５０が設けてある。ガイドスライドレール３０は、図５（Ｂ）に示すように、調節ジョイント５０を回転支点として回動されて主機体１０の後部１２側に収まる。よって、楕円レールルート足踏み機Ａが未使用又は使用完了のとき、装置の設置スペースを狭くできる。
【００２１】
図６（Ａ）は、本考案の第３の実施例を示す。主機体１０の前部にガイドスライドレール３０を組み合わせた箇所に、横向き通り溝６１のスライドガイド座６０が設けてある。スライドガイド座６０の横向き通り溝に組み立てられたガイドスライドレール３０は、横向きの前進後退がスライドできるようになる。また、前記スライドガイド座６０の片側に位置固定部品６２が設けられて、スライドレール３０は位置が固定されるようになる。
位置固定部品６２は、つまみである。位置固定部品６２で位置を固定するとき、つまみを回して、ガイドスライドレール３０を位置が固定される状態にさせる。
【００２２】
図７は、本考案の第４の実施例を示す。主機体１０の前部１１には、縦向き突き出のハンドル８０が設けてある。縦向き突き出しのハンドル８０は、グリップ部８１、伸縮ロッド８２及び位置固定ユニット８３という伸縮調整可能な組合せバーセットが設けられている。また、表示パネル７０を縦向き突き出しのハンドル８０のグリップ部８１に設けるようにして、使用中に、補助道具としてユーザを支えてくれるし、そのうえ、それを収納するとき、伸縮ロッド８２は、位置固定ユニット８３の取り外しによって、装置全体のサイズをもっとも小さくコンパクトにして、余分なスペースが必要でなくなる。
【００２３】
上記の楕円レールルート足踏み機Ａは、以下に記載する効果を有する。
１．図３、図４に示すように、前記円周作動部品４０が主機体１０の後部１２に設けられており、ユーザが両足を前記踏み板２０に置いて、踏み出したとき、その足先置き部２１は、ガイドスライドレール３０沿いに平行に移動し、足先のところがユーザの足の支えとなり、踏み板２０の足元置き部２２は、円周作動部品４０に伴い、円周ルート沿いに上下起伏する動きが行われており、このような構成により、ユーザの足の動きは足元のところにあり、よりリアルで足を踏み出して歩く状態に近づくようになり、よりよい運動効果が達成され、足の筋肉が均等に使われ、運動からの傷害の発生が低減される、という実用性を有する。
２．図５〜図７に示され、上述したように、ガイドスライドレール３０を、最も小さい使用状態に畳められる調節ジョイント５０、及びスライドガイド座６０等からなるもの、それに、ユーザを支えるために設けられた縦向き突き出しのハンドル８０が設けられており、ユーザは未使用又は使用完了のとき狭い箇所に置くことが出来る。
【００２４】
上述の実施例は本考案を具体的に説明したものであり、文中では特定の専門用語を用いて説明しているが、本実用新案の特許範囲を限定するものではなく、この技術分野を熟知した者は本考案の精神及び原則を逸脱しない限り、本考案に変更または改良を加えることができる。しかし、それらの変更または改良は全て実用新案登録請求の範囲に含まれるものとする。
【図面の簡単な説明】
【００２５】
【図１】本考案の第１実施例になる楕円レールルート足踏み機の斜視図である。
【図２】図１の楕円レールルート足踏み機の側面図である。
【図３】使用状態を示す図である。
【図４】図３に続く使用状態を示す図である。
【図５】本考案の第２実施例になる揺れ式構造形態の楕円レールルート足踏み機を示す図である。
【図６】本考案の第３実施例になる伸縮式構造形態の楕円レールルート足踏み機を示す図である。
【図７】本考案の第４実施例になる楕円レールルート足踏み機を示す図である。
【符号の説明】
【００２６】
Ａ  楕円レールルート足踏み機
１０  主機体
１１  前部
１２  後部
１３  突出し脚部
２０  踏み板
２１  足先置き部
２１Ｂ  踏み板止め縁部
２２  足元置き部
２２Ｂ  踏み板止め縁部
２３  ホイールスタンド
３０  ガイドスライドレール
４０  円周作動部品
５０  調節ジョイント
６０  スライドガイド座
６１  横向き通り溝
６２  位置固定部品
７０  表示パネル
８０  ハンドル
８１  グリップ部
８２  伸縮ロッド
８３  位置固定ユニット
【図１】
0003136861.tif 000003
【図２】
0003136861.tif 000004
【図３】
0003136861.tif 000005
【図４】
0003136861.tif 000006
【図５】
0003136861.tif 000007
【図６】
0003136861.tif 000008
【図７】
0003136861.tif 000009